(57)【要約】【課題】適切なコーキング処理を容易に実現できるコーキングノズル、コーキング方法及び太陽光パネル取付方法の提供。【解決手段】実施形態にかかるコーキングノズルは、屋根に形成された隙部を通じて挿入されコーキング材を吐出するコーキングノズルであって、側方に開口する側部開口を有し、前記隙部に挿入される挿入部と、前記屋根材との相対位置を規制する位置規制部と、を備えることを特徴とする。【選択図】図１
2014025318.tif 000002
【特許請求の範囲】
【請求項１】
屋根に形成された隙部を通じて挿入されコーキング材を吐出するコーキングノズルであって、
側方に開口する側部開口を有し、前記隙部に挿入される挿入部と、
前記屋根材との相対位置を規制する位置規制部と、
を備えることを特徴とするコーキングノズル。
【請求項２】
前記挿入部は、コーキング材が通り先方に開口する先端開口を有する筒状部を有し、
前記側部開口は、前記先端開口に連続して前記筒状部の側壁に形成されるスリットを備えて構成されことを特徴とする請求項１記載のコーキングノズル。
【請求項３】
前記側部開口は、前記スリットと、前記筒状部の側壁を貫通する開口部とを備えて構成され、
野地板と、ルーフィングと、屋根材とを積層して有する屋根の前記屋根に形成された隙部に前記挿入部が挿入された際、前記野地板と前記ルーフィングとの間の隙間に前記スリットが連通するとともに、前記屋根材とルーフィングとの間の隙間に前記開口部が連通することを特徴とする請求項２記載のコーキングノズル。
【請求項４】
前記挿入部は、コーキング材が通る筒状部と、
前記筒状部の先端から先方に延びる複数の片部を備え、
複数の片部間の隙間に前記側部開口が形成され、
複数の片部の先端に囲まれる領域に、先方に開口する先端開口が形成されることを特徴とする請求項１記載のコーキングノズル。
【請求項５】
野地板と、ルーフィングと、屋根材とを積層して有する屋根の前記屋根に形成された隙部に前記挿入部が挿入された際、前記ノズルの先端が前記屋根材の裏側に配されたルーフィングの裏側に至り、かつ、前記側部開口が前記屋根材と前記ルーフィングとの間及び前記ルーフィングと前記野地板との間に連通して配される位置で、前記位置規制部が前記屋根材に当接して位置規制され、あるいは前記ノズルの先端が前記隙部内に突き当たることで位置規制されるように構成されたことを特徴とする請求項１乃至４のいずれか記載のコーキングノズル。
【請求項６】
野地板と、ルーフィングと、屋根材とを積層して有する屋根に形成された隙部を通じて請求項１乃至５のいずれか記載のコーキングノズルを挿入し、
前記コーキングノズルの側部開口を通じて、前記野地板と前記ルーフィングとの間、及び前記ルーフィングと前記屋根材との間にコーキング材を注入することを特徴とするコーキング方法。
【請求項７】
請求項６記載のコーキング方法を行い、前記隙部を通る取付具により、前記屋根材の表側にて太陽光パネルを支持する取付機構と前記屋根材の裏側に配される支持対象とを固定し、
前記屋根材の表側において前記取付機構に前記太陽光パネルを取り付ける、ことを特徴とする太陽光パネルの取付方法。
【発明の詳細な説明】
【技術分野】
【０００１】
本発明は、コーキングノズル、コーキング方法及び太陽光パネル取付方法に関する。
【背景技術】
【０００２】
例えば屋根に太陽光パネルの取付機構を設置する際に、屋根材に設けられた孔部等の隙にコーキング材を充填させて防水性を得るコーキング処理を行っている。コーキングガンと呼ばれるコーキング装置を用いて、先端に設けられたコーキングノズルからコーキング材を注入する。一般的に、コーキングノズルは先端に開口を有する筒状に構成されている。例えば、垂木、野地板、ルーフィング、及び屋根材等の複数の部材が積層されてなる屋根の表側から、屋根材に形成された孔部にコーキングノズルを挿入し、例えばノズル先端が孔部の深さ方向に対して中間の位置でノズルを停止し、コーキング材を吐出させる。あるいは、先端部の側方に開口を有し、孔部の底やルーフィング等の部材に突き当たった位置でノズルを停止し、コーキング材を吐出させる。
【先行技術文献】
【特許文献】
【０００３】
【特許文献１】特開２００１−１４０４２６号公報
【発明の概要】
【発明が解決しようとする課題】
【０００４】
上述の構造では、コーキングノズルの挿入深さは作業者の穿孔のばらつきや屋根の構造によって影響を受けるため、適正な深さに設定することが難しい。したがって、適切なコーキング処理を実現することが困難になっている。
【課題を解決するための手段】
【０００５】
実施形態にかかるコーキングノズルは、屋根材に形成された隙部を通じて挿入されコーキング材を吐出するコーキングノズルであって、側方に開口する側部開口を有し、前記隙部に挿入される挿入部と、前記屋根材との相対位置を規制する位置規制部と、を備えることを特徴とする。
【０００６】
他の実施形態にかかるコーキング方法は、野地板と、ルーフィングと、屋根材とを積層して有する屋根に形成された隙部を通じて前記コーキングノズルを挿入し、前記コーキングノズルの側部開口を通じて、前記野地板と前記ルーフィングとの間、及び前記ルーフィングと前記屋根材との間にコーキング材を注入することを特徴とする。
【０００７】
他の実施形態にかかる太陽光パネルの取付方法は、前記コーキング方法を行い、前記隙部を通る取付具により、前記屋根材の表側にて太陽光パネルを支持する取付機構と前記屋根材の裏側に配される支持対象とを固定し、前記屋根材の表側において前記取付機構に前記太陽光パネルを取り付ける、ことを特徴とする。
【発明の効果】
【０００８】
実施形態によれば、適切なコーキング処理を容易に実現できる。
【図面の簡単な説明】
【０００９】
【図１】本発明の第１実施形態に係るコーキングノズルの側面図。
【図２】同実施形態にかかるコーキングノズルの正面図。
【図３】同実施形態にかかるコーキングノズルの先端部を示す斜視図。
【図４】同実施形態にかかる屋根構造及びコーキング方法を示す説明図。
【図５】同実施形態にかかる屋根構造及びコーキング方法を示す説明図。
【図６】同実施形態にかかるコーキング処理後の状態を示す平面図。
【図７】同実施形態にかかる太陽光パネルの取付構造を示す説明図。
【図８】同実施形態にかかるコーキング方法と比較例を示す説明図。
【図９】本発明の第２実施形態に係るコーキングノズルの先端部を示す斜視図。
【図１０】本発明の第３実施形態に係るコーキングノズルの先端部を示す斜視図。
【図１１】本発明の第４実施形態に係るコーキングノズルの先端部を示す斜視図。
【発明を実施するための形態】
【００１０】
［第１実施形態］  
以下、本発明の第１実施形態にかかるコーキングノズル、コーキング方法、及び太陽光パネルの取付方法について図１乃至図６を参照して説明する。なお、各図では説明のため、適宜構成を拡大、縮小、省略して示している。図中矢印Ｘ，Ｙ，Ｚは互いに直交する３方向をそれぞれ示している。
【００１１】
図１は、コーキングノズル２０の側面図、図２は正面図、図３は先端部の斜視図である。コーキングノズル２０は例えばコーキングガンと呼ばれるコーキング装置の先端に取り付けられて用いられる。コーキングノズル２０はコーキング装置の吐出操作によって、挿入部２３の先端開口部２６ｃからコーキング材を吐出する。
【００１２】
コーキングノズル２０は例えば樹脂製であって、コーキング装置のコーキングカートリッジ本体に取り付けられる取付部２１と、取付部２１に連続しコーキング材を保持可能な保持部２２と、保持部２２の先端に連続する小径筒状の挿入部２３と、外周面に設けられた規制部２４と、を一体に備えて筒状に構成されている。
【００１３】
取付部２１は例えば先端側が縮径する筒状に構成され、その内壁にねじ溝等の取付構造が形成されている。
【００１４】
保持部２２は、例えば軸方向先端が縮径する錐状の筒状に構成され、内側にコーキング材を収容可能な空間を形成している。
【００１５】
挿入部２３は、保持部２２の先端に連続し、孔部１０ａに挿入される小径の筒状に構成されている。挿入部２３は基端側の筒状部２５と、先端部２６とを連続して備えている。
【００１６】
先端部２６は、円環状部２６ａと、円環状部２６ａの周方向おいて互いに対向する２か所から軸方向に延びて筒状部２５と連結する一対の連結片部２６ｂ（片部）と、を一体に備えて構成される。先端部２６において、円環状部２６ａに囲まれる領域に先方が開口する先端開口２６ｃが形成され連結片部２６ｂ間に側方が開口するスリット状の側部開口２６ｄが形成される。円環状部２６ａは孔部１０ａに挿入された際に孔部１０ａの底部と突き当たることで屋根材との相対位置を規制する機能を有する。
【００１７】
コーキングノズル２０の外周面において、先端から一定距離離間した所定位置には、外方に突出する規制部２４が設けられている。規制部２４は、軸方向に直交する面を成す円環状のフランジで構成され、屋根材１４との相対位置を規制する。すなわち、この規制部２４が屋根材１４に当接する位置でコーキングノズル２０の進入が停止されるように位置規制する機能を有する。
【００１８】
挿入部２３の長さ、規制部２４の位置、及び側部開口２６ｄの長さは、予め設定される所望の挿入深さに対応して設定されている。例えば図４及び図５を参照して後述するように野地板１２と、ルーフィング１３と、屋根材１４とを積層して有する屋根１０の表側から、屋根１０に形成された孔部１０ａに挿入部が挿入された際、コーキングノズル２０の先端の円環状部２６ａがルーフィング１３の裏側に至り、かつ、側部開口２６ｄが屋根材１４とルーフィング１３との間の隙間Ｓ１及びルーフィング１３と野地板１２との間の隙間Ｓ２に対応して配される位置で、規制部２４が屋根材１４に当接して位置規制され、あるいはコーキングノズル２０の先端が孔部１０ａの底部に突き当たることで位置規制されるように寸法設定されている。
【００１９】
次に、本実施形態に係る太陽光パネルの取付方法及びコーキング方法について、図４乃至図８を参照して説明する。
【００２０】
太陽光パネルの取付方法は、屋根１０に孔部１０ａを形成する穿孔処理と、孔部１０ａ周辺にコーキング材を充填するコーキング処理と、孔部１０ａを通る取付具４１により屋根材１４の表側で太陽光パネル３０を支持する取付機構４０と屋根材１４の裏側に配される支持対象としての垂木１１とを固定する固定処理と、屋根材１４の表側において取付機構４０に太陽光パネル３０を取り付ける取付処理と、を順に行う。
【００２１】
図４に示すように、屋根１０は、垂木１１上に設けられた野地板１２の上にルーフィング１３が敷設され、このルーフィング１３上に、所定の厚みを有する平板スレートの屋根材１４を複数枚重ねて組み付けて釘Ｖで固定した構造であり、図７に示すように、この屋根材１４の上面側に取付機構４０を介して太陽光パネル３０を取り付ける。
【００２２】
この屋根１０の所定位置に、例えば電動ドリル等を用いて、積層される屋根材１４及びルーフィング１３を貫通して野地板１２に至る深さＤ１の孔部１０ａを形成する。すなわち、孔部１０ａは、複数の屋根材１４を貫通する複数の貫通孔１４ａと、ルーフィング１３を貫通する貫通孔１３ａと、野地板１２の上部に形成される有底穴１２ａと、で構成され、隙間Ｓ１，Ｓ２に連通している。
【００２３】
なお、平板スレートの屋根材１４は互いに所定距離ずらしながら積層されており、屋根材１４の最外面からルーフィング１３までの厚さ寸法は位置によって変化することとなる。すなわち、隙間Ｓ１の厚さが変化している。
【００２４】
孔部１０ａの深さは、積層された屋根材１４及びルーフィング１３を貫通して野地板１２に至る深さに対応して設定する。複数の平板スレートの屋根材１４を積層する構造では、屋根材１４の積層状態と穿孔位置との関係によって屋根材１４の最外面からルーフィング１３までの厚さ寸法が異なることとなり、図４のＢに示す挿入位置ではＡで示す挿入位置に比べて屋根材１４の表面からルーフィング１３までの距離が短い。例えば孔部１０ａの深さは、ルーフィング１３を貫通し野地板１２に至り、かつ野地板１２を貫通しない範囲で挿入深さを設定する。また、側部開口２６ｄの深さは、いずれの挿入位置においても、ノズル２０の先端がルーフィング１３の裏側に至り、かつ、側部開口２６ｄが隙間Ｓ１及び隙間Ｓ２に連通するように寸法設定される。
【００２５】
コーキング処理では、図４に示すように、コーキングノズル２０の挿入部２３を孔部１０ａに挿入する。すると、挿入部２３が屋根材１４を貫通して進入する。ここで隙間Ｓ１が一定値より大きい箇所では、あらかじめ設定された挿入深さＤ１に至る時点で、規制部２４が屋根材１４に当接し、コーキングノズル２０がそれ以上進入しないように位置規制される。
【００２６】
一方、隙間Ｓ１が一定値より小さい箇所では、規制部２４が当接するよりも前に、先端部２６の円環状部２６ａが孔部１０ａの底部分に突き当たることで、コーキングノズル２０がそれ以上進入しないように位置規制される。
【００２７】
この状態でコーキング材Ｃを吐出することにより、図５及び図６に示すように、先端開口２６ｃから孔部１０ａの底部にコーキング材Ｃが注入されるとともに、孔部１０ａの周りにおいて側部開口２６ｄから隙間Ｓ１及び隙間Ｓ２にコーキング材Ｃが広がり、野地板１２とルーフィング１３との間、及びルーフィング１３と屋根材１４との間に確実にコーキング材を注入することができる。
【００２８】
図７に示すように、コーキング処理後、取付部周辺部分において複数の屋根材１４の間に防水シート１６を敷設し、取付機構４０を設置する。
【００２９】
取付機構４０は、屋根材１４上にビス等の取付具４１によって固定されるショートラック４２と、ショートラック４２上にねじ止めされるパネル固定具４３と、を備えて構成されている。
【００３０】
孔部１０ａを通る取付具４１によって、屋根材１４の表側に配されるショートラック４２を、屋根材１４の裏側に配される支持対象としての野地板１2や垂木１１に固定することで、ショートラック４２を屋根１０に固定する。さらに互いに一定距離離間して配される複数のショートラック４２にパネル固定具４３をボルトＢでねじ留めする。そして、太陽光パネル３０の周縁部をパネル固定具４３で固定することにより太陽光パネル３０を屋根１０に取り付ける。
【００３１】
本実施形態によれば側部開口２６ｄを設けることにより、隙間Ｓ１，Ｓ２にコーキング材Ｃが進入しやすく、所望のエリアにコーキング材Ｃを充填させることが容易となる。また、規制部２４によってコーキングノズル２０の挿入深さを適正な深さに設定することができる。したがって、適切なコーキング処理を実現することが容易となる。
【００３２】
また、ルーフィング１３を貫通し、側部開口２６ｄがルーフィング１３と野地板１２との間の隙間Ｓ２にも連通するように構成したことにより、確実に孔部１０ａの周りを確実にコーキングでき、高い密閉性及び防水性が確保できる。
【００３３】
図８に示すように、既築の場合には紫外線・温度・水蒸気圧の影響により、ルーフィングに膨れが生じている場合が多くあるが、上記実施形態によれば、コーキングノズル２０の先端がルーフィングを貫通することで確実にコーキングすることができる。一方、図８の比較例に示すように円筒状のコーキングノズルをルーフィングに突き当てた状態でコーキング材を注入してもルーフィングによってコーキング材の注入が妨げられるので、孔周りを確実にコーキングすることはできない。また比較例に示すコーキングノズル及びコーキング方法ではルーフィング上に土埃等がある場合にコーキング材に土埃が付着し、シール性が低下するが、本実施形態によればルーフィングを貫通してルーフィングと野地板との間の空間Ｓ２にシールすることができるため、高いシール性を確保できる。
【００３４】
なお、本発明は上記各実施形態そのままに限定されるものではなく、実施段階ではその要旨を逸脱しない範囲で構成要素を変形して具体化できる。
【００３５】
例えば上記実施形態においてコーキングノズル２０の先端部２６は円環状部２６ａと連結片部２６ｂとを連続して有する構造としたが、これに限られるものではなく各種の形状及び構造が適用できる。例えば図９に示す第２実施形態に係るコーキングノズル２２０のように、先端部２２６に円周上に互いに離間して配される複数の棒状部２２６ａ（片部）が設けられる構造としてもよい。円形に並ぶ棒状部２２６ａの先端に囲まれる領域に先端開口２２６ｃが形成され、並列する棒状部２２６ａ間の隙間にスリット状の側部開口２２６ｄが形成される。この実施形態においても、上記第１実施形態と同様の効果が得られる。
【００３６】
例えば図１０に示す第３実施形態及び図１１に示す第４実施形態に係るコーキングノズル３２０は、第１実施形態と同様に取付部３２１と、取付部３２１に連続しコーキング材を保持可能な保持部３２２と、保持部３２２の先端に連続する挿入部３２３と、外周面に設けられた規制部３２４と、を一体に備えて筒状に構成されている。挿入部３２３は先端開口３２６ａを有する円筒状の筒状部３２５を備え、この筒状部３２５の端部の側壁には側部開口３２６ｂとして一対のスリット３２７及び開口部３２８が形成されている。スリット３２７は、筒状部３２５の先端がＵ字状またはＶ字状に切り欠かれて形成され、先端開口３２６ａに連続している。また開口部３２８は側壁を貫通する円形の孔で構成されている。筒状部３２５の基端部分には大径となる段差状の位置規制部３２４が形成されている。スリット３２７及び開口部３２８の大きさ、位置及び数はコーキング材の粘性に応じて適宜設定される。例えば図１０に示す実施形態では、開口部３２８は周方向に対向する２か所においてそれぞれ軸方向に２つ並列形成されている。また、図１１に示す実施形態では周方向において等間隔で４か所に形成されている。
【００３７】
位置規制部３２４、スリット３２７、開口部３２８の位置関係は、屋根構造の各部材の位置関係に基づき設定され、挿入時に、スリット３２７がルーフィング１３と野地板１２との間の隙間Ｓ２に連通するとともに、開口部３２８がルーフィング１３と屋根部材１４との間の隙間Ｓ１に連通するように位置設定される。すなわち、本実施形態では各スリット３２７と開口部３２８が別構成で各々が上記第１実施形態の側部開口２６ｄよりも小さく設定されている。したがって、スリット３２７や開口部３２８からコーキング材を吐出させやすく、コーキング材の注入位置の規定が容易となる。これらスリット３２７及び開口部３２８で構成される側部開口３２６ｂによって、屋根構造や穿孔の深さにかかわらず、隙間Ｓ１，Ｓ２にコーキング材を確実に充填できる。
【００３８】
また、規制部２４の構造も上記実施形態に係るフランジ形状に限られるものではない。例えばコーキングノズル２０の外周の一部に突出して屋根材１４に当接する突起等でもよく、その他各種形状・構造を適用できる。
【００３９】
さらに、太陽光パネル３０を支持する取付機構４０等についても上記実施形態の構造に限られるものではなく各種の取付機構を適用可能である。
【００４０】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００４１】
Ｓ１．Ｓ２…隙間、Ｃ…コーキング材、１０…屋根、１０ａ…孔部（隙部）、１１…垂木、１２…野地板、１３…ルーフィング、１４…屋根材、２０…コーキングノズル、２１…取付部、２２…保持部、２３…挿入部、２４…規制部、２５…筒状部、２６…先端部、２６ａ…円環状部、２６ｂ…連結片部（片部）、２６ｃ…先端開口、２６ｄ…側部開口、３０…太陽光パネル、４０…取付機構、４１…取付具、４２…ショートラック、４３…パネル固定具、１１１…屋根材、１２６…先端部、１２６ａ…棒状部（片部）、１２６ｃ…先端開口、１２６ｄ…側部開口。
【図１】
2014025318.tif 000003
【図２】
2014025318.tif 000004
【図３】
2014025318.tif 000005
【図４】
2014025318.tif 000006
【図５】
2014025318.tif 000007
【図６】
2014025318.tif 000008
【図７】
2014025318.tif 000009
【図８】
2014025318.tif 000010
【図９】
2014025318.tif 000011
【図１０】
2014025318.tif 000012
【図１１】
2014025318.tif 000013